(57)【要約】【課題】吹出口の高さ方向での気体の吹き出し流量のばらつきを低減できる遠心ファンを提供すること。【解決手段】本発明の遠心ファン１は、回転軸３３方向において、一端側に気体を取り込む取込口１１ａを有するハウジング１０と、ハウジング１０内に配置されるインペラ２０と、を備え、インペラ２０は、ベース部２１と、複数の翼２５と、を備え、取込口１１ａ側におけるベース部２１の面は、回転軸３３及び取込口１１ａに向かって傾斜する傾斜面２２を有し、複数の翼２５は、傾斜面２２に設けられており、径方向における翼２５の幅は、取込口１１ａ側から傾斜面２２に向けて拡大している。【選択図】図１
2018013054.tif 000002
【特許請求の範囲】
【請求項１】
回転軸方向において、一端側に気体を取り込む取込口を有するハウジングと、
前記ハウジング内に配置されるインペラと、を備え、
前記インペラは、
ベース部と、
複数の翼と、を備え、
前記取込口側における前記ベース部の面は、前記回転軸及び前記取込口に向かって傾斜する傾斜面を有し、
前記複数の翼は、前記傾斜面に設けられており、
径方向における前記翼の幅は、前記取込口側から前記傾斜面に向けて拡大している遠心ファン。
【請求項２】
回転軸方向における前記インペラの長さＨｍｍと径方向における前記インペラの長さＷｍｍの比Ｈ／Ｗが０．５５以上である請求項１に記載の遠心ファン。
【請求項３】
径方向における前記インペラの長さは、３０ｍｍ以上１１０ｍｍ以下である請求項１又は請求項２に記載の遠心ファン。
【請求項４】
前記取込口側における前記複数の翼の内側の内形の距離Ｄ１ｍｍに対して、前記ベース側における前記複数の翼の内側の内形の距離Ｄ２ｍｍは、Ｄ１×０．９以下である請求項１から請求項３のいずれか１項に記載の遠心ファン。
【請求項５】
前記距離Ｄ２ｍｍが前記距離Ｄ１×０．４ｍｍ以上である請求項４に記載の遠心ファン。
【請求項６】
前記傾斜面の頂部の高さは、前記インペラの中央よりも低い請求項１から請求項５のいずれか１項に記載の遠心ファン。
【請求項７】
前記回転軸方向において、前記翼は、同じ曲率半径を有し、
前記翼は、径方向において、前記インペラの内側となる内側端部が前記取込口側からベース部側に向かって連続的につながっている請求項１から請求項６のいずれか１項に記載の遠心ファン。
【請求項８】
前記インペラは、前記取込口側における前記複数の翼の端部を繋ぐリング部を有し、
径方向において、前記ベース部の外周部は、前記リング部の内周部より内側にある請求項１から請求項７のいずれか１項に記載の遠心ファン。
【請求項９】
前記複数の翼の外周部は、回転軸の方向に沿って延在している請求項１から請求項８のいずれか１項に記載の遠心ファン。
【請求項１０】
前記インペラと連結する回転軸を有するモータを備え、
前記ベース部は、前記取込口側における面と、当該面と逆側にある面とを備え、
前記逆側にある面は、傾斜面である請求項１から請求項９のいずれか１項に記載の遠心ファン。
【発明の詳細な説明】
【技術分野】
【０００１】
本発明は遠心ファンに関する。
【背景技術】
【０００２】
従来、ハウジング内に設けられるインペラをモータで回転させることで、ハウジングの上面若しくは下面に設けられた空気等の気体を取り込む取込口から気体を取り込み、ハウジングの側面に設けられた吹出口から取り込んだ気体を送り出す遠心ファンが知られている（特許文献１参照）。
【先行技術文献】
【特許文献】
【０００３】
【特許文献１】特開２０１３−５３６３４号公報
【発明の概要】
【発明が解決しようとする課題】
【０００４】
ところで、遠心ファンには、直径に対して高さが比較的低いインペラが用いられており、ハウジングの吹出口の高さもインペラの高さと同程度か若干高い程度のものになっている。
そして、吹出口の高さが求められる場合、その吹出口の高さを高くするのに合わせて、インペラの高さを高くすることになるが、吹出口の高さに合わせてインペラの高さを高くしただけでは、吹出口の高さ方向での気体の吹き出し流量が均一にならないという問題があることが分かった。
【０００５】
本発明は、上記事情に鑑みてなされたものであり、吹出口の高さ方向での気体の吹き出し流量のばらつきを低減できる遠心ファンを提供することを目的とする。
【課題を解決するための手段】
【０００６】
本発明は、上記目的を達成するために、以下の構成によって把握される。
（１）本発明の遠心ファンは、回転軸方向において、一端側に気体を取り込む取込口を有するハウジングと、前記ハウジング内に配置されるインペラと、を備え、前記インペラは、ベース部と、複数の翼と、を備え、前記取込口側における前記ベース部の面は、前記回転軸及び前記取込口に向かって傾斜する傾斜面を有し、前記複数の翼は、前記傾斜面に設けられており、径方向における前記翼の幅は、前記取込口側から前記傾斜面に向けて拡大している。
【０００７】
（２）上記（１）の構成において、回転軸方向における前記インペラの長さＨｍｍと径方向における前記インペラの長さＷｍｍの比Ｈ／Ｗが０．５５以上である。
【０００８】
（３）上記（１）又は（２）の構成において、径方向における前記インペラの長さは、３０ｍｍ以上１１０ｍｍ以下である。
【０００９】
（４）上記（１）から（３）のいずれか１つの構成において、前記取込口側における前記複数の翼の内側の内形の距離Ｄ１ｍｍに対して、前記ベース側における前記複数の翼の内側の内形の距離Ｄ２ｍｍは、Ｄ１×０．９以下である。
【００１０】
（５）上記（４）の構成において、前記距離Ｄ２ｍｍが前記距離Ｄ１×０．４ｍｍ以上である。
【００１１】
（６）上記（１）から（５）のいずれか１つの構成において、前記傾斜面の頂部の高さは、前記インペラの中央よりも低い。
【００１２】
（７）上記（１）から（６）のいずれか１つの構成において、前記回転軸方向において、前記翼は、同じ曲率半径を有し、前記翼は、前記インペラの内側となる内側端部が前記取込口側からベース部側に向かって連続的につながっている。
【００１３】
（８）上記（１）から（７）のいずれか１つの構成において、前記インペラは、前記取込口側における前記複数の翼の端部を繋ぐリング部を有し、径方向において、前記ベース部の外周部は、前記リング部の内周部より内側にある。
【００１４】
（９）上記（１）から（８）のいずれか１つの構成において、前記複数の翼の外周部は、回転軸の方向に沿って延在している。
【００１５】
（１０）上記（１）から（９）のいずれか１つの構成において、前記インペラと連結する回転軸を有するモータを備え、前記ベース部は、前記取込口側における面と、当該面と逆側にある面とを備え、前記逆側にある面は、傾斜面である。
【発明の効果】
【００１６】
本発明によれば、吹出口の高さ方向での気体の吹き出し流量のばらつきを低減できる遠心ファンを提供することができる。
【図面の簡単な説明】
【００１７】
【図１】本発明に係る実施形態の遠心ファンを示した斜視図である。
【図２】本発明に係る実施形態の覆い部を取り外した遠心ファンを示した斜視図である。
【図３】本発明に係る実施形態のインペラを取込口側となる側から見た平面図である。
【図４】図３に示すＡ−Ａ間を結ぶ線に沿ってインペラを切断したときのＢ方向から見た断面図である。
【図５】本発明に係る実施形態の遠心ファンのインペラを回転させるためのモータを示す平面図である。
【発明を実施するための形態】
【００１８】
以下、本発明を実施するための形態(以下、「実施形態」という)を、添付図面に基づいて詳細に説明する。
なお、実施形態の説明の全体を通して同じ要素には同じ番号を付している。
【００１９】
図１は本発明に係る実施形態の遠心ファン１を示した斜視図である。
なお、図１に示す矢印Ｔは、インペラ２０の回転方向を示しており、Ｚ軸は回転軸方向を示している。
図１に示すように、遠心ファン１は、回転軸方向Ｚにおいて、一端側に空気等の気体を取り込む取込口１１ａを有するハウジング１０と、ハウジング１０内に収容されるインペラ２０と、を備えている。
【００２０】
（ハウジング）
ハウジング１０は、底部１２と、底部１２上に配置されるインペラ２０を覆う覆い部１１と、を備えている。
覆い部１１は、開口を形成する内周部を有するカバー１１ｂとカバー１１ｂの外周に沿ってインペラ２０の外周部を囲む側壁部１１ｃを有している。
カバー１１ｂの内周部で形成された開口は取込口１１ａとなっており、円形に形成されている。
【００２１】
また、ハウジング１０は吹出口１３を備えている。
吹出口１３は、周方向に延在する覆い部１１の一部と底部１２の一部とで形成されている。
この覆い部１１の一部は、周方向において、インペラ２０の一部から回転軸方向Ｚと直交する方向に延在している。
【００２２】
図２は覆い部１１を取り外した遠心ファン１を示した斜視図である。
なお、図２においても矢印Ｔは図１と同様にインペラ２０の回転方向を示している。
図２に示すように、底部１２には、覆い部１１の外形に沿って段部１２ａが設けられている。
この段部１２ａは底部１２の外周部から内側に向かって、段を一段下げる。
この段部１２ａを設けることで、覆い部１１を取り付けるときの位置合わせが容易に行えるようになっている。
【００２３】
また、底部１２には、覆い部１１を底部１２に固定するときのネジを通す孔部１２ｂが設けられている。
一方、図１に示すように、覆い部１１は、側壁部１１ｃから外側に向けて延在するように、側壁部１１ｃに一体に設けられた固定部１１ｄを有している。
この固定部１１ｄには、孔部１２ｂに対応する孔部１１ｄａが設けられている。
覆い部１１は、覆い部１１の孔部１１ｄａが底部１２の孔部１２ｂ上に位置するように、底部１２上に配置される。
【００２４】
したがって、底部１２の孔部１２ｂと覆い部１１の孔部１１ｄａにネジ（ボルトでもよい）を通してネジの先端部にナットを螺合させることで底部１２に対して覆い部１１を固定することができる。
【００２５】
なお、底部１２の孔部１２ｂの内周面にネジに螺合する溝を螺旋状に形成しておいて、ネジを孔部１２ｂに螺合させることで底部１２に対して覆い部１１を固定するようにしてもよい。
【００２６】
（インペラ）
インペラ２０は、図２に示すように、ベース部２１と、複数の翼２５を備える。
取込口１１ａ側におけるベース部２１の面は、回転軸及び取込口に向かって傾斜する傾斜面２２（図４参照）になっている。
ベース部２１は、ハウジング１０の取込口１１ａ（図１参照）と反対側に位置している。
また、複数の翼２５は、取込口１１ａ側となるベース部２１の面（図４の傾斜面２２参照）に設けられるとともに、回転方向に設けられている。
【００２７】
図３はインペラ２０を取込口１１ａ側から見た平面図であり、図４は図３に示すＡ−Ａ間を結ぶ線に沿ってインペラ２０を切断したときのＢ方向から見た断面図である。
なお、図４の上側がハウジング１０の取込口１１ａ側である。
【００２８】
インペラ２０は、回転軸方向Ｚ（図１参照）における長さＨｍｍと径方向における長さＷｍｍの比Ｈ／Ｗが０．５５以上である。
具体的には、図４に示すように、インペラ２０の径方向における長さＷｍｍが３０ｍｍ以上１１０ｍｍ以下（例えば、径方向における長さＷｍｍが約７０ｍｍ）であり、回転軸方向Ｚにおけるインペラ２０の長さＨｍｍ（この回転軸方向Ｚにおけるインペラ２０の長さを、以降、高さの方向として取り扱う）を径方向における長さＷｍｍで割った比Ｈ／Ｗが約０．６になっている。
本実施形態のインペラ２０の高さは、比Ｈ／Ｗが０．５未満であるインペラの高さと比較して、大きく、その分だけ吹出口１３の高さを大きくしている。
なお、インペラ２０の径方向における長さＷｍｍは、径方向における複数の翼２５の外側端部を結ぶ外周部２５ｃ（図２参照）の外形（複数の翼２５の外側端部それぞれを結んで形成される円の直径）とほぼ等しくなっている。
また、この複数の翼２５の外径はインペラ２０の高さ方向におけるどの位置においても同じ外径になっている。具体的には、複数の翼２５の外径の差は、所定の外径の大きさに対して上限が＋５％、下限が−５％であり、好ましくは上限が＋５％、下限が−５％の範囲である。
【００２９】
以下、より具体的にインペラ２０の各部について説明を行う。
図４に示すように、ベース部２１は、円環部２１ａと、傾斜部２１ｂと、固定部２１ｃと、を備える。
なお、円環部２１ａ、傾斜部２１ｂ及び固定部２１ｃは一体に繋がっている。
円環部２１ａはベース部２１の外周部側に位置する。
傾斜部２１ｂは、円環部２１ａの内周部から中央に向かうとともに、ハウジング１０の取込口１１ａ（図４上側）に向かって傾斜する。
固定部２１ｃは、円環部２１ａに対して最も中央側（ベース部の中央部）に位置する。
また、固定部２１ｃは、モータ３０（図５参照）の回転軸３３を固定する。
なお、ベース部２１は、円環部２１ａを省略して、ベース部２１の外周部側に位置する傾斜部２１ｂとベース部の中央部に位置する固定部２１ｃとで形成されるものであってもよい。
【００３０】
固定部２１ｃの中央部には、モータ３０（図５参照）の回転軸３３（図５参照）を挿入する孔部２１ｃａが設けられている。
この孔部２１ｃａにモータ３０の回転軸３３が挿入されて固定される。
固定部２１ｃに固定されたモータ３０の回転軸３３が回転することで、固定部２１ｃを有するインペラ２０が回転する。
【００３１】
複数の翼２５は、回転方向において、気体を受ける第１面２５ａ及び第１面２５ａの反対側の面である第２面２５ｂを備え、隣接する翼２５の間で第１面２５ａと第２面２５ｂは対向している。
径方向における、複数の翼２５の第１面２５ａの幅は、図４に示すように、ハウジング１０の取込口１１ａ側（図４上側）からベース部２１側に向けて拡大しており、気体を受ける第１面２５ａの面積が比較的大きく形成されている。
なお、本実施形態では、第２面２５ｂも図４に示すように、ハウジング１０の取込口１１ａ側（図４上側）からベース部２１側に向けて面積が拡大している。
【００３２】
取込口１１ａ側における複数の翼２５の内側端部を結ぶ内形の最も長い距離Ｄ１ｍｍ（以下、内形Ｄ１ｍｍという場合がある）に対して、ベース部２１側における複数の翼２５の内側端部を結ぶ内形の最も長い距離Ｄ２ｍｍ（以下、内形Ｄ２ｍｍという場合がある）は、Ｄ１×０．９ｍｍ以下である。
【００３３】
なお、本実施形態では、図３に点線の円Ｘで示すように、取込口１１ａ側における複数の翼２５の内側端部を結ぶ内形は円形である。
このため、距離Ｄ１ｍｍは、取込口１１ａ側における複数の翼２５の内側端部を結ぶ内周部の直径になっている。
【００３４】
同様に、図３に点線の円Ｙで示すように、ベース部２１側における複数の翼２５の内側端部を結ぶ内形は円形である。
このため、距離Ｄ２ｍｍは、ベース部２１側における複数の翼２５の内側端部を結ぶ内周部の直径になっている。
【００３５】
より具体的に説明すると、図３に示すように、ハウジング１０の取込口１１ａ側となる側から見て（平面視）、取込口１１ａ側となる複数の翼２５それぞれの内周部を結ぶ取込口側内径（点線で示す円Ｘの内径）をＤ１ｍｍ（図４参照）とし、ベース部２１側となる複数の翼２５それぞれの内周部を結ぶベース部側内径（点線で示す円Ｙの内径）をＤ２ｍｍ（図４参照）と呼称する。
ベース部側内径Ｄ２ｍｍが取込口側内径Ｄ１×０．９ｍｍ以下となるように形成されている。
【００３６】
また、取込口１１ａ側からベース部２１側に向かって、径方向における翼２５の第１面２５ａの幅が大きくなっていくように形成されている。
なお、本実施形態では、取込口１１ａ側からベース部２１側に向かって、径方向における翼２５の第２面２５ｂの幅も大きくなっていくように形成されている。
【００３７】
回転軸方向において、取込口１１ａ側における翼２５の端部の幅（径方向）に対して、ベース部２１側における翼２５の端部の幅（径方向）は大きく、さらに取込口１１ａとベース部２１との中間の位置における翼２５の幅（径方向）に対して、ベース部２１側における翼２５の端部の幅（径方向）は大きくなっている。
【００３８】
例えば、インペラ２０の径方向における長さＷｍｍが７０ｍｍ程度である場合の一例としては、取込口側内径Ｄ１ｍｍを約６０ｍｍとして、ベース部側内径Ｄ２ｍｍを約４６ｍｍとして、取込口側内径Ｄ１ｍｍとベース部側内径Ｄ２ｍｍの関係が、Ｄ２ｍｍ＝Ｄ１×０．７７ｍｍであるようなものがあげられる。
【００３９】
また、図４に示すように、ベース部２１側における翼２５の端部が、ベース部２１の傾斜面２２に設けられている。
【００４０】
このように、取込口側内径Ｄ１を大きくすることで、ハウジング１０の取込口１１ａ側のインペラ２０の翼２５の気体を受ける面積を小さくしつつ、複数の翼２５の内側に設けられる内部空間の幅（取込口側）を大きくする。
また、ベース部側内径Ｄ２を小さくすることで、ベース部２１側に向かって翼２５の気体を受ける面積を大きくしつつ、その内部空間の幅（ベース部側）を小さくする。
【００４１】
このような構成により、取込口１１ａ側における内部空間の幅が大きいため、内部空間の中央を流れる気体は、途中でハウジング１０内に取り込まれず、ベース部２１側まで内部空間を通過することができ、ベース部２１側でハウジング１０内に取り込むことができる。
すなわち、この内部空間の中央側を通る気体の一部は翼２５によってハウジング１０内に取り込まれずにベース部２１側に流れる。
【００４２】
また、ベース部２１側における翼２５の幅（径方向）が取込口１１ａ側における翼２５の幅（径方向）より大きいことも相まって、取込口１１ａ側からベース部２１側にいくほど気体を吸い込む吸引力が強くなっている。このため、良好にベース部２１側まで気体を吸い込むことができるようになっている。
また、内部空間の幅（径方向）がベース部２１側に向かって小さくなっていくのに応じて、順次、内部空間内を流れる気体が翼２５によってハウジング１０内に取り込まれる。
【００４３】
さらに、ベース部２１側では、気体が傾斜面２２に沿ってスムーズに翼２５側に誘導されるため、ベース部２１側でのハウジング１０内への気体の取り込みが効率よくなされている。
【００４４】
このため、インペラ２０の高さが比較的大きくても、ベース部２１側まで気体が吸い込まれ、ベース部２１側からハウジング１０内に気体を十分に取り込むことができるため、回転軸方向において、ハウジング１０内の内部圧力が均一化され、ハウジング１０内を流れる気体が偏ることなく吹出口１３から均一に吹き出される。
【００４５】
一方、単にインペラの高さを大きくしただけの遠心ファンだと、インペラの高さが大きくなるほど、内部空間における、ベース部側まで気体を取り込むための吸引力が不足する。
このため、ベース部側に至るまでに内部空間内を流れる気体が翼でハウジング内に取り込まれてしまい、ベース部側ではハウジング内に取り込むための気体が少なくなる場合がある。
【００４６】
この場合には、ハウジング内の底部側に気体が十分に取り込まれなくなり、ハウジング内において底部側の内部圧力が低くなる。
【００４７】
また、遠心ファンにおいては、ハウジング内に気体が取り込まれて吹出口から吹き出すまでの距離が長くない。
さらに、吹出口では気体が開放されるので、吹出口に向かうにつれて気体の流速が低下する。
これらのことが相まって、その内部圧力の分布に従って気体がハウジングの底部側に偏ったところで吹出口から気体が吹き出すことになる。
そうすると、吹出口では底部側ほど気体の吹き出し流量が多くなる。
【００４８】
したがって、本実施形態のインペラ２０の構成にすることで、インペラ２０の高さが大きい場合でも、回転軸方向におけるハウジング１０内の内部圧力を均一化させることができ、上述したような単にインペラの高さを大きくしただけの場合に吹出口から吹き出す気体がハウジングの底部側ほど多くなることを抑制することができる。
【００４９】
また、ベース部２１側まで気体を取り込むことができる点で、ベース部側内径Ｄ２ｍｍは、取込口側内径Ｄ１×０．４ｍｍ以上であるようになっていることが好ましい。
【００５０】
なお、気体の取り込み量が少なくなりすぎることを抑制するという観点から、インペラ２０の径方向における長さＷｍｍに対して、ハウジング１０の取込口１１ａ側となる複数の翼２５の内側を結ぶ取込口側内径Ｄ１ｍｍは、インペラ２０の径方向における長さＷｍｍ×０．７ｍｍ以上であることが好ましい。
【００５１】
また、図４に示すように、回転軸方向において、ベース部２１の傾斜面２２は、最もハウジング１０の取込口１１ａ側となる頂部の位置ｈが、インペラ２０の中央ＭＨよりもベース部２１側にあるようにしてベース部２１側の内部空間が小さくなりすぎないようにすることが好ましい。
【００５２】
一方、吹出口１３に高さが求められるような遠心ファンであっても、遠心ファン自体の高さは低いことが求められるため、遠心ファン全体の高さはできるだけ低くなっていることが好ましい。
【００５３】
そこで、図４に示すように、ベース部２１の中央側を傾斜部２１ｂとして、傾斜面２２と反対側に位置する裏面が傾斜面２２と同じ傾斜を有する傾斜面２３にしても構わない。同じ傾斜を有する場合としては、例えば、傾斜面２２の傾斜角度に対する傾斜面２３の傾斜角度の差が、例えば上限＋５％、下限が−５％の範囲内にあることが挙げられる。
具体的には、図５に示すように、ベース部２１に対面するモータ３０の面３１（モータ本体部３２の面３１）をベース部２１の裏面の傾斜面２３に沿わせる。また、モータ本体部３２の少なくとも一部若しくは全部がベース部２１の傾斜部２１ｂ内に収容する。
このような構成により、モータ３０を含めた遠心ファン１全体としての高さを小さくすることが好ましい。
【００５４】
なお、モータ３０の具体的な駆動機構は、一般的なモータと同様であり、モータ本体部３２内には、モータ駆動部を構成するためのステータとロータが収納され、図５に示すように、そのロータの回転軸３３がモータ本体部３２のベース部２１に対面する面３１の中央から導出されており、その回転軸３３が導出される側と反対側に位置するモータ本体部３２の部分からは、モータ３０に電力を供給するための一対の電源端子３４が導出されている。
【００５５】
そして、ロータの回転軸３３は、図４を参照して説明したように、ベース部２１の中央側に設けられた固定部２１ｃの孔部２１ｃａに固定される。
なお、孔部２１ｃａへの回転軸３３の固定方法は、特に限定されるものではなく、例えば、孔部２１ｃａに螺合溝を形成し、回転軸３３の先端側にその螺合溝に螺合する螺合溝を形成してもよく、圧入固定や接着固定等であってもよい。
【００５６】
以上、具体的にインペラ２０の形状等について詳しく説明したが、製造コストの観点から、インペラ２０はベース部２１と翼２５等を樹脂で一体成形することが好ましく、この場合には、射出成型等でインペラ２０を一体成形するときに用いる金型の成形後の抜きを考慮した形状にインペラ２０の形状を考えておく必要があり、以下では、この観点に基づく、インペラ２０の形状に関して説明する。
【００５７】
上述したように、本実施形態のインペラ２０は高さが高いため、翼２５が風圧によって撓みが起きる場合がある。
そして、そのような撓みが起きないようにするために、本実施形態のインペラ２０では、図２に示すように、複数の翼２５のハウジング１０の取込口１１ａ側の端部の外周側を繋ぐリング部２６を有するものとしている。
しかしながら、リング部２６とベース部２１とが重なり合う位置にあると金型の設計が難しくなる。
【００５８】
そこで、図３及び図４に示すように、リング部２６の内周２６ａ（内周部）よりもベース部２１の外周２４（外周部）のほうが中央側（径方向の内側）に位置するようにしている。
つまり、ベース部２１の外径が、リング部２６の内径より小さく設計されている。
【００５９】
また、図３を見るとわかるように、翼２５は、ベース部２１側ほど翼２５のインペラ２０の内側となる内側端部２７を中央側に位置させ、翼２５の気体を受ける面積を広げるにあたって、翼２５のハウジング１０の取込口１１ａ側の断面と同じ曲率半径を維持するように取込口１１ａ側からベース部２１側に向かって連続的につなげるようにしている。
【００６０】
つまり、翼２５は、インペラ２０の高さ方向におけるどの位置においても同じ曲率半径を有し、翼２５は、径方向において、インペラ２０の内側となる内側端部２７がハウジング１０の取込口１１ａ側からベース部２１側に向かって連続的につながっている。同じ曲率半径として、例えば、取込口１１ａ側における翼２５の曲率半径と、ベース部２１側における翼２５の曲率半径との差が、上限＋５％、下限が−５％の範囲内にあることが挙げられる。
【００６１】
そして、翼２５は、インペラ２０の高さ方向におけるどの位置においても厚みがほぼ等しく、全ての翼２５が同一の設計で、回転方向におけるベース部２１上でのピッチもほぼ等しくなっている。厚みがほぼ等しい、或いはピッチがほぼ等しい例として、厚みの差、ピッチの差の上限が＋５％、下限が−５％の範囲内にあることが挙げられる。
【００６２】
このようにしておくと、ハウジング１０の取込口１１ａ側に設ける第１金型とベース部２１側に設ける第２金型との２つの金型を合わせて、金型内に樹脂を注入してインペラ２０を成形した後に、第１金型と第２金型を抜くときの抜き方向（例えば、第１金型であれば取込口１１ａ方向、第２金型であればベース部２１方向）に抜きを行うときに、金型と干渉する部分がなく、良好な金型の抜きを行うことができる。
【００６３】
したがって、成形性の観点から、翼２５がインペラ２０の高さ方向におけるどの位置においてもほぼ同じ曲率半径を有し、インペラ２０の内側となる内側端部２７がハウジング１０の取込口１１ａ側からベース部２１側に向かって連続的につながっているとともに、ベース部２１の外径が、リング部２６の内径より小さくなっていることが好ましい。
【００６４】
ただし、リング部２６を別部品で作製しておいて、翼２５を繋ぐように後から超音波溶着する場合には、ベース部２１の外径がリング部２６の内径よりも小さい必要はなく、このように一体成形を行わないでインペラ２０を作製する場合には、必ずしも、上述したようになっていなくてもよい。
【００６５】
以上、本発明を実施形態に基づき説明したが、本発明は実施形態に限定されるものではなく、本発明の要旨を逸脱しない範囲で種々変更が可能であり、そのことは当業者にとって特許請求の範囲の記載から明らかである。
【符号の説明】
【００６６】
１…遠心ファン、１０…ハウジング、１１…覆い部、１１ａ…取込口、１１ｂ…カバー、１１ｃ…側壁部、１１ｄ…固定部、１１ｄａ…孔部、１２…底部、１２ａ…段部、１２ｂ…孔部、１３…吹出口、２０…インペラ、２１…ベース部、２１ａ…円環部、２１ｂ…傾斜面、２１ｃ…固定部、２１ｃａ…孔部、２２…傾斜面、２３…傾斜面、２４…外周、２５…翼、２５ａ…第１面、２５ｂ…第２面、２５ｃ…外周部、２６…リング部、２６ａ…内周、２７…内側端部、３０…モータ、３１…面、３２…モータ本体部、３３…回転軸、３４…電源端子、ｈ…位置、Ｚ…回転軸方向
【図１】
2018013054.tif 000003
【図２】
2018013054.tif 000004
【図３】
2018013054.tif 000005
【図４】
2018013054.tif 000006
【図５】
2018013054.tif 000007